(57)【特許請求の範囲】
【請求項１】
複数の表示装置を含む表示システムにおける各表示装置の色温度を設定する表示装置の色温度設定方法であって、
複数の色温度の各々において、各表示装置が出力可能な出力可能最大輝度を取得し、
同一色温度下での各表示装置の前記出力可能最大輝度を比較し、最も小さい出力可能最大輝度である最大輝度最小値を色温度ごとに特定し、
色温度ごとに特定された前記最大輝度最小値のうち、最も大きい最大輝度最小値を持つ色温度を共通設定色温度として設定し、
前記複数の表示装置総ての色温度を前記共通設定色温度に設定する、
表示装置の色温度設定方法。
【請求項２】
複数の表示装置と、前記複数の表示装置を制御する制御装置とを含む表示システムであって、前記制御装置は、
複数の色温度の各々において、各表示装置が出力可能な出力可能最大輝度を取得し、
同一色温度下での各表示装置の前記出力可能最大輝度を比較し、最も小さい出力可能最大輝度である最大輝度最小値を色温度ごとに特定し、
色温度ごとに特定された前記最大輝度最小値のうち、最も大きい最大輝度最小値を持つ色温度を共通設定色温度として設定し、
前記複数の表示装置総ての色温度を前記共通設定色温度に設定する、
表示システム。
【請求項３】
複数の表示装置を含む表示システムにおける各表示装置の色温度を設定する表示装置の色温度設定プログラムであって、当該色温度設定プログラムは、
複数の色温度の各々において、各表示装置が出力可能な出力可能最大輝度を取得する手順と、
同一色温度下での各表示装置の前記出力可能最大輝度を比較し、最も小さい出力可能最大輝度である最大輝度最小値を色温度ごとに特定する手順と、
色温度ごとに特定された前記最大輝度最小値のうち、最も大きい最大輝度最小値を持つ色温度を共通設定色温度として設定する手順と、
前記複数の表示装置総ての色温度を前記共通設定色温度に設定する手順と、
をコンピュータに実行させる表示装置の色温度設定プログラム。
【請求項４】
複数の表示装置を含む表示システムにおける各表示装置の色温度を決定する表示装置の色温度決定方法であって、
複数の色温度の各々において、各表示装置が出力可能な出力可能最大輝度を取得し、
同一色温度下での各表示装置の前記出力可能最大輝度を比較し、最も小さい出力可能最大輝度である最大輝度最小値を色温度ごとに特定し、
色温度ごとに特定された前記最大輝度最小値のうち、最も大きい最大輝度最小値を持つ色温度を、前記複数の表示装置総てのための共通設定色温度として決定する、
表示装置の色温度決定方法。
【発明の詳細な説明】
【技術分野】
【０００１】
本発明は、複数の表示装置の組み合わせにより構成される表示システムに適用される表示装置の色温度設定方法、色温度設定プログラム、色温度決定方法ならびに当該表示システムに関する。
【背景技術】
【０００２】
例えば、病院では、ＭＲＩ画像やＣＴ画像、レントゲン画像等の読影のために、読影室とよばれる部屋内に、１台のコンピュータに複数の表示装置（モニター）が接続されたシステムや、複数のコンピュータのそれぞれに１台あるいは複数の表示装置が接続され、当該複数のコンピュータがネットワークで接続された表示システムを設置したりすることが多い。このようなシステムでは、どの表示装置においても同一の色温度と同一の輝度で画像が表示されることが要求されるため、同一機種の表示装置が複数使用されることが一般的である。
【０００３】
表示装置は使用を続けることにより、色温度および輝度が変化することが一般的に知られている。このような経時変化は各表示装置によって異なるため（個体差がある）、たとえ同一機種の表示装置間であっても、使用経過により色温度および輝度が異なるものとなり得る。同一システム内の全ての表示装置の経時変化を補正して、どの表示装置においても同一の色温度と同一の輝度で画像が表示されるようにするため、各表示装置の色調補正、いわゆるカラーキャリブレーションが実施される。カラーキャリブレーションによって、各表示装置は、一般的に表示に適しているとされる推奨色温度７５００Ｋおよび推奨最大輝度４００ｃｄ/ｍ２に調整される。
【０００４】
上述した各表示装置間のカラーキャリブレーションについては、従来、種々の方法が提案されている（例えば特許文献１〜５）。
【先行技術文献】
【特許文献】
【０００５】
【特許文献１】特開２００９−２３７２４０号公報
【特許文献２】特開２００９−１５９３７２号公報
【特許文献３】特開２０１２−１７３６６９号公報
【特許文献４】特開２００７−１３３２９８号公報
【特許文献５】特開２００８−１５１８３８号公報
【発明の概要】
【発明が解決しようとする課題】
【０００６】
これまでは、表示システムにおける各表示装置の色温度および輝度を特定の値に合わせることが重視され、そのような思想の下で技術が開発されてきている。このような開発過程においては、表示装置の輝度をできるだけ維持し、表示装置の長寿命化を図る思想は未だに存在しない。
【０００７】
本発明は、表示システムにおける各表示装置の輝度をできるだけ維持し、表示装置の長寿命化を図る技術に関する。
【課題を解決するための手段】
【０００８】
本発明は、複数の表示装置を含む表示システムにおける各表示装置の色温度を設定する表示装置の色温度設定方法であって、複数の色温度の各々において、各表示装置が出力可能な出力可能最大輝度を取得し、同一色温度下での各表示装置の前記出力可能最大輝度を比較し、最も小さい出力可能最大輝度である最大輝度最小値を色温度ごとに特定し、色温度ごとに特定された前記最大輝度最小値のうち、最も大きい最大輝度最小値を持つ色温度を共通設定色温度として設定し、前記複数の表示装置のうち少なくとも二つの表示装置の色温度を前記共通設定色温度に設定する。
【０００９】
さらに本発明は、複数の表示装置と、前記複数の表示装置を制御する制御装置とを含む表示システムであって、前記制御装置は、複数の色温度の各々において、各表示装置が出力可能な出力可能最大輝度を取得し、同一色温度下での各表示装置の前記出力可能最大輝度を比較し、最も小さい出力可能最大輝度である最大輝度最小値を色温度ごとに特定し、色温度ごとに特定された前記最大輝度最小値のうち、最も大きい最大輝度最小値を持つ色温度を共通設定色温度として設定し、前記複数の表示装置のうち少なくとも二つの表示装置の色温度を前記共通設定色温度に設定する。
【００１０】
さらに本発明は、複数の表示装置を含む表示システムにおける各表示装置の色温度を設定する表示装置の色温度設定プログラムであって、当該色温度設定プログラムは、複数の色温度の各々において、各表示装置が出力可能な出力可能最大輝度を取得する手順と、同一色温度下での各表示装置の前記出力可能最大輝度を比較し、最も小さい出力可能最大輝度である最大輝度最小値を色温度ごとに特定する手順と、色温度ごとに特定された前記最大輝度最小値のうち、最も大きい最大輝度最小値を持つ色温度を共通設定色温度として設定する手順と、前記複数の表示装置のうち少なくとも二つの表示装置の色温度を前記共通設定色温度に設定する手順と、をコンピュータに実行させる。
【００１１】
さらに本発明は、複数の表示装置を含む表示システムにおける各表示装置の色温度を決定する表示装置の色温度決定方法であって、複数の色温度の各々において、各表示装置が出力可能な出力可能最大輝度を取得し、同一色温度下での各表示装置の前記出力可能最大輝度を比較し、最も小さい出力可能最大輝度である最大輝度最小値を色温度ごとに特定し、色温度ごとに特定された前記最大輝度最小値のうち、最も大きい最大輝度最小値を持つ色温度を共通設定色温度として決定する。
【発明の効果】
【００１２】
本発明の表示システムにおいては、各表示装置の色温度を所望の値に設定することにより、表示装置の輝度寿命の向上、すなわち表示装置および表示システムの長寿命化を図ることが可能となる。
【図面の簡単な説明】
【００１３】
【図１】本発明が適用される表示システムの概略ブロック図を示す。
【図２】本発明の実施の形態に係るコンピュータ及び表示装置の概略ブロック図を示す。
【図３】表示装置において内蔵光センサが外に突出した状態を示す外観斜視図である。
【図４】実施の形態の表示装置の色温度設定方法の各ステップを示すフローチャートである。
【図５】表示システムにおける各表示装置の色温度を設定する最終プロセスの概念を示す表であり、（ａ）は色温度設定にあたって最大輝度最小値を用いるプロセスの表、（ｂ）は色温度設定にあたって最大輝度最大値を用いるプロセスの表を示す。
【図６】表示システムにおける各表示装置の色温度を設定する最終プロセスの概念を示す表であり、（ａ）は色温度設定にあたって最大輝度平均値を用いるプロセスの表、（ｂ）は色温度設定にあたって最大輝度標準偏差を用いるプロセスの表を示す。
【発明を実施するための形態】
【００１４】
以下、本発明の表示システムにおける表示装置（モニター）の色温度設定方法の好適な実施の形態を、図１〜図６に基づいて詳述する。以下の実施の形態では、表示装置として液晶表示装置を例に示すが、液晶表示装置に限らず、陰極線管（ＣＲＴ）などにも適用できる。また、複数色の例として、ＲＧＢ３原色の場合を示すが、これに限るものではない。
【００１５】
図１は、本発明が適用される表示システム１００の一例を示す。表示システム１００は、複数の表示装置１０（図示ではＮｏ．１〜Ｎｏ．４の４台）と、各表示装置１０を統括して制御するコンピュータ（制御装置）２０とを含む。
【００１６】
図２は、本発明の実施の形態に係る色温度設定方法を実現するための表示装置１０及びコンピュータ２０の概略ブロック図を示す。本図では図１とは異なり単一の表示装置１０のみ（例えばＮｏ．１の表示装置）が示され、他の表示装置は省略されている。コンピュータ２０と表示装置１０内のマトリックス１３とは各色の画像信号線を介して接続し、コンピュータ２０と表示装置１０内の制御部１４とは、通信線４０を介して接続している。
【００１７】
表示装置１０は、一般的な液晶パネルにより構成される表示パネル１１と、変換部１２と、マトリックス１３と、制御部（ＣＰＵ；Central Processing Unit）１４と、メモリ１５と、入力手段１６と、光源（バックライト）１７と、内蔵光センサ３０とを備える。
【００１８】
マトリックス１３は、色特性の変換を行う部分であり、例えば専用に設計された演算回路により構成されるが特にその種類は限定されない。マトリックス１３には、コンピュータ２０から各画像信号線を介してＲＧＢの各色画像信号Ｒｉ、Ｇｉ、Ｂｉが入力され、制御部１４からの制御信号を受けて後段の変換部１２へ各色画像信号Ｒｍ、Ｇｍ、Ｂｍを出力する。
【００１９】
変換部１２は、ＲＧＢの３原色の画像信号に対応するように設けられた階調補正回路であるＲ用ＬＵＴ（Look-up table；ルックアップテーブル）１２ａ、Ｇ用ＬＵＴ１２ｂ、Ｂ用ＬＵＴ１２ｃを含む。マトリックス１３から出力された各色画像信号Ｒｍ、Ｇｍ、Ｂｍの各々は、Ｒ用ＬＵＴ１２ａ、Ｇ用ＬＵＴ１２ｂ、Ｂ用ＬＵＴ１２ｃに入力される。変換部１２も適宜専用演算回路等により構成されるが特にその種類は限定されない。
【００２０】
赤色、緑色、青色各色のＲ用ＬＵＴ１２ａ、Ｇ用ＬＵＴ１２ｂ、Ｂ用ＬＵＴ１２ｃは、それぞれ、表示入力階調Ｌと表示出力階調Ｐとを対応させて、表示入力階調Ｌを表示出力階調Ｐに変換し、各色画像信号Ｒｏ、Ｇｏ、Ｂｏを生成する。表示入力階調Ｌは例えば、８ビットで構成され、２５６の階調数をとることが可能であり、階調０から階調２５５までの階調値を取りうる構成としてある。表示出力階調Ｐは例えば、１０ビットで構成され、１０２１の階調数をとることが可能であり、階調０から階調１０２０までの階調数を取りうる構成としてある。例えば、Ｒ用ＬＵＴ１２ａでは、表示入力階調Ｌの階調（０，１，２，・・・２５３，２５４，２５５）に対して表示出力階調Ｐの階調（０，４，８，・・・１０１２，１０１６，１０２０）のように対応付けがされ、この対応に応じた階調の変換がなされ、表示パネル１１の表示特性に応じた補正（ｙ補正）が行われる。表示出力階調Ｐのビット数を表示入力階調Ｌのビット数より多くすることで表示特性に応じたより精細な補正が可能となる。
【００２１】
このような補正により、表示パネル１１の表示特性を補正（較正）することができる。表示パネル１１や光源１７等の特性は製品ごとにばらつくことから、製品ごとに表示特性を補正することが望ましい。
【００２２】
Ｒ用ＬＵＴ１２ａ、Ｇ用ＬＵＴ１２ｂ、Ｂ用ＬＵＴ１２ｃから出力された各色画像信号Ｒｏ、Ｇｏ、Ｂｏは表示パネル１１に出力され、該画像信号レベルに対応した濃度の画像が表示パネル１１に表示される。内蔵光センサ３０は該表示された表示画像の出射光を測定して得られた色度（色温度）及び輝度に関するデータを制御部１４に送る。
【００２３】
制御部１４は、後述するメモリ１５に予め保存されている目標階調特性および目標色度と比較する。制御部１４は、マトリックス１３の設定値を変更して色特性を補正し、Ｒ用ＬＵＴ１２ａ、Ｇ用ＬＵＴ１２ｂ、Ｂ用ＬＵＴ１２ｃの設定値を変更して階調特性を補正する。制御部１４には、各種設定情報を記憶するメモリ１５と、ユーザーが操作可能な入力手段１６が更に接続されている。メモリ１５には製造時より設定された各種設定値や、制御部１４が算出した各種の値が保存される。入力手段１６は各種のキー、ボタン、タッチパネルなどにより構成され、ユーザーが表示装置１０の各種パラメータを任意の値に設定することが可能である。
【００２４】
表示パネル１１に光を照射する光源１７は、陰極管や発光ダイオードなどで構成され、通常バックライトといわれる。この光源１７には光源制御部が含まれ、光源制御部は、周波数を変更することで光源への光源電流を制御するドライバーなどで構成される。このような光源１７は透過型液晶表示装置の場合に用いられるものである。制御部１４は、ＰＣ２０から通信線４０を介して入力された制御信号に基づいて光源制御信号を光源制御部へ出力し、光源制御部は光源制御信号に応じた光源電流を光源１７に供給して光源１７の輝度を調整する。
【００２５】
内蔵光センサ３０は表示パネル１１の表示画面に対向して装着され、制御部１４からの制御信号を受けて、表示パネル１１から出射される光を測定できる。つまり、白色画面の白色輝度、白色画面でのＲＧＢ各色の輝度（例えば、輝度の絶対値）、色度（色温度）などを測定できるものである。内蔵光センサ３０は、Ｒフィルタ、Ｇフィルタ、Ｂフィルタを備え、白色画面からの表示光を適宜分光してＲＧＢ各色の単色輝度を絶対値として測定することができる。
【００２６】
図３の例は内蔵光センサ３０が表示装置１０の内部から外部へ突出した状態の例を示す。内蔵光センサ３０は、適長の板状ケース３０ａの一端に、受光面を表示面に対向するように設けてあり、板状ケース３０ａの他端は表示装置１０の上側ベゼル部に設けられた回転軸の回りに表示面に沿って約４５度回動可能に保持されている。内蔵光センサ３０は、出射光の輝度などを測定する場合、制御部１４が制御する図示せぬＤＣモータの駆動により、ベゼル部から表示面の周辺部に対向配置され、測定しない場合、表示面から移動してベゼル部の内部に収納される。もちろん内蔵光センサ３０の代わりに、表示装置１０とは別体に設けられた外部光センサを使用することも可能である。この場合、外部光センサからの出力はコンピュータ２０に出力され、コンピュータ２０にて種々の演算が行われるのが一般的である。
【００２７】
制御装置としてのコンピュータ２０は、図示せぬ中央処理装置、記憶装置、表示装置１０に制御信号を送信する出力部、ユーザーが種々の命令やデータを入力する入力装置、画像を表示する表示部などを備える。記憶装置には、本発明に係る各種の処理を行う色温度設定プログラムを記憶することが可能である。ユーザーによるコンピュータ２０への各種の入力、設定などは表示部にＧＵＩ（Graphical User Interface）環境を設けることにより、ウインドウ、ダイアログボックスなどから適宜入力できる構成にしてある。
【００２８】
図４は本発明の実施の形態に係る色温度設定方法の各ステップを示すフローチャートである。ユーザーが、コンピュータ２０に表示装置１０を接続してコンピュータ２０の色温度設定プログラムを起動した後、コンピュータ２０、表示装置１０は以下のステップを実行する。なお、以下のステップにおいて、ステップの順はこれに限るものではなく、また必要に応じて、あるステップが他のステップと同時並行的に処理されることもある。
【００２９】
＜ステップＳ１＞
コンピュータ２０は、通信線４０を介して、Ｎｏ．１からＮｏ．４の各表示装置１０の制御部１４に対して制御信号を出力し、各表示装置の表示パネル１１を色温度オフ（Ｏｆｆ）、すなわち、Ｒ、Ｇ、Ｂ各々を最大階調での表示状態（ネイティブ状態）に設定する。色温度オフ（ネイティブ状態）とは、表示装置１０が色調整を全く行っていない状態（ダイレクトマトリックススルーと呼ばれる）に相当し、このときの色温度を当該表示装置１０の目標色温度とする（ステップＳ２参照）。
【００３０】
＜ステップＳ２＞
コンピュータ２０からの制御信号を受けた各表示装置の制御部１４は、マトリックス１３を書き換えて色温度オフ下での白色画面表示を行う。また、制御部１４は光源１７に制御信号を送り、光源の輝度を最大輝度にする。内蔵光センサ３０はこのときの表示パネル１１からの出射光の色温度及び輝度を取得し、制御部１４に送る。制御部１４は、内蔵光センサ３０から受け取った色温度及び輝度を通信線４０を介してコンピュータ２０に送る。ここで得られる出射光の色温度は、各表示装置自身の目標色温度である。また、ここで得られる出射光の輝度は、各表示装置自身の目標色温度における出力可能な最大輝度である。
【００３１】
＜ステップＳ３＞
次に、コンピュータ２０は、通信線４０を介して、Ｎｏ．１からＮｏ．４の各表示装置１０の制御部１４に対して制御信号を出力し、各表示装置の表示パネル１１を、ステップＳ２で取得した他の表示装置の目標色温度（すなわち、色温度オフ設定時の色温度）に順に設定する。すなわち、Ｎｏ．１の表示装置には、Ｎｏ．２、Ｎｏ．３、Ｎｏ．４それぞれの表示装置の目標色温度を順に設定し、Ｎｏ．２の表示装置にはＮｏ．１、Ｎｏ．３、Ｎｏ．４それぞれの表示装置の目標色温度を順に設定し、Ｎｏ．３の表示装置には、Ｎｏ．１、Ｎｏ．２、Ｎｏ．４それぞれの表示装置の目標色温度を順に設定し、Ｎｏ．４の表示装置にはＮｏ．１、Ｎｏ．２、Ｎｏ．３それぞれの表示装置の目標色温度を順に設定する。
【００３２】
＜ステップＳ４＞
コンピュータ２０からの制御信号を受けた各表示装置１０の制御部１４は、各表示装置１０の目標色温度に設定したときの表示装置１０が出力し得る最大輝度（出力可能最大輝度）を取得する。すなわち、目標色温度ごとにマトリックス１３を書き換えて、各表示装置の目標色温度下での白色画面表示を行い、光源１７を最大輝度にし、内蔵光センサ３０が表示パネル１１からの出射光の色温度及び輝度を取得して制御部１４に送る。制御部１４は、内蔵光センサ３０から受け取った全ての色温度及び輝度を通信線４０を介してコンピュータに送る。
【００３３】
このようにして、コンピュータ２０は、各表示装置につき４つの目標色温度（当該表示装置自身の目標色温度および他の３台の表示装置の目標色温度）における最大輝度を取得することになる。なお、本実施の形態では、内蔵光センサ３０を用いて全ての目標色温度における最大輝度を各々測定して取得したが、例えば、ある特定の色温度における最大輝度のみを測定により取得し、他の色温度における最大輝度は、表示装置のメモリ１５で記憶される種々の表示特性データに基づき、計算によって求めるようにしてもよい。
【００３４】
図５（ａ）の（ａ１）の表は、上述した目標色温度に対応した最大輝度をわかりやすく示している。（ａ１）において、図１のＮｏ．１〜Ｎｏ．４の表示装置１０の各々の目標色温度として、５０００Ｋ、６０００Ｋ、７０００Ｋ、８０００Ｋの各色温度が対応する。これらの目標色温度に加えて、この表は、一般的な推奨色温度である７５００Ｋも含んでいる。なお、上述のとおり設定した各表示装置１０の目標色温度（すなわち、色温度オフ設定時の色温度）とは関係なく、特定の色温度をあらかじめ決定しておき、そこで最大輝度を算出するようにしてもよい。
【００３５】
表示装置Ｎｏ．１に関しては、色温度５０００Ｋに対する最大輝度が４１０ｃｄ/ｍ２、色温度６０００Ｋに対する最大輝度が６４０ｃｄ/ｍ２、色温度７０００Ｋに対する最大輝度が５６０ｃｄ/ｍ２、推奨色温度７５００Ｋに対する最大輝度が５５０ｃｄ/ｍ２、色温度８０００Ｋに対する最大輝度が５３０ｃｄ/ｍ２である。他の表示装置Ｎｏ．２、Ｎｏ．３、Ｎｏ．４についても各色温度に対する最大輝度が導出されている。当然のことながら、ここでの最大輝度（出力可能最大輝度）は、一般的な推奨最大輝度（例えば４００ｃｄ/ｍ２）を上回っている。
【００３６】
＜ステップＳ５＞
そして、コンピュータ２０は、各色温度における表示装置Ｎｏ．１、表示装置Ｎｏ．２、表示装置Ｎｏ．３、表示装置Ｎｏ．４各々の出力可能な最大輝度の中で、最も小さい輝度、すなわち最大輝度最小値を特定する。すなわち、図８（ａ）の（ａ２）の表に示すように、コンピュータ２０は、色温度５０００Ｋに対する最大輝度最小値として４１０ｃｄ/ｍ２（表示装置Ｎｏ．１の値）、色温度６０００Ｋに対する最大輝度最小値として４７０ｃｄ/ｍ２（表示装置Ｎｏ．３の値）、色温度７０００Ｋに対する最大輝度最小値として４３０ｃｄ/ｍ２（表示装置Ｎｏ．２の値）、推奨色温度７５００Ｋに対する最大輝度最小値として４５０ｃｄ/ｍ２（表示装置Ｎｏ．４の値）、色温度８０００Ｋに対する最大輝度最小値として５２０ｃｄ/ｍ２（表示装置Ｎｏ．３の値）のそれぞれを特定する。
【００３７】
最大輝度最小値は、各目標色温度における運転において、推奨最大輝度（４００ｃｄ/ｍ２）との差が最も小さい表示装置、すなわち、最も運転余裕の小さい表示装置を特定する指標である。例えば色温度５０００Ｋに対する最大輝度最小値をもつ表示装置Ｎｏ．１（最大輝度；４１０ｃｄ/ｍ２）は、最も余裕が小さく、当該色温度において寿命（輝度寿命）が最も短い。
【００３８】
＜ステップＳ６＞
さらにコンピュータ２０は、図５（ａ）の（ａ３）の表に示すように、特定した複数の色温度毎の最大輝度最小値の中でも、最大の値に対応する色温度を特定し、当該色温度を、表示装置Ｎｏ．１〜Ｎｏ．４の共通の共通設定色温度として最終的に設定する。コンピュータ２０は、各表示装置に共通設定色温度に設定する命令を含む制御信号を送信し、制御部１４は自身の表示装置の色温度を共通設定色温度に設定する。
【００３９】
上記のプロセスで求められた色温度は、複数の色温度毎の最大輝度最小値の中でも、推奨最大輝度に対する差が最も大きいものである。よって、表示システム１００の色温度を当該共通設定色温度に設定することにより、最も輝度寿命が短い表示装置の延命効果が高くなり、表示システム１００全体の輝度寿命が底上げされることになる。
【００４０】
本例では、色温度８０００Ｋに対して表示装置Ｎｏ．３がもつ最大輝度最小値５２０ｃｄ/ｍ２が推奨最大輝度との差が最も大きいので、色温度８０００Ｋが表示システム１００の共通設定色温度として設定される。すなわち、共通設定色温度における色温度８０００Ｋにおいては、表示装置Ｎｏ．３の最大輝度が最も小さく輝度寿命が短い。しかしながら、この色温度８０００Ｋにおける表示装置Ｎｏ．３の最大輝度５２０ｃｄ/ｍ２は、他の色温度における最大輝度最小値（例えば７０００Ｋでは表示装置Ｎｏ．２の４３０ｃｄ/ｍ２）よりも必ず大きいため、最も輝度寿命が短い表示装置Ｎｏ．３の推奨色温度に対する余裕は、他の色温度における最も輝度寿命が短い表示装置（例えば７０００Ｋでは表示装置Ｎｏ．２）よりも必ず大きくなる。よって、表示システム１００全体の輝度寿命が底上げされることになる。
【００４１】
各表示装置が共通設定色温度に設定された後、コンピュータ２０、表示装置１０は、当該色温度下において従来のカラーキャリブレーション（色調補正）を実行する。
【００４２】
表示システム１００における各表示装置の色温度の設定方法として、上記の例以外に、以下の変形例（１）〜（３）が存在する。各変形例においては、上述したステップＳ５およびＳ６の代わりに以下の方法が実施される。
【００４３】
（１）図５（ｂ）に示す変形例
図５（ｂ）の（ｂ１）の表における各最大輝度の値は、図５（ａ）の（ａ１）と同じである。本例ではコンピュータ２０が、各色温度における表示装置Ｎｏ．１〜Ｎｏ．４各々の出力可能な最大輝度の中で、最も大きい輝度、すなわち最大輝度最大値を特定する。すなわち、図８（ｂ）の（ｂ２）の表に示すように、コンピュータ２０は、色温度５０００Ｋに対する最大輝度最大値として４５０ｃｄ/ｍ２（表示装置Ｎｏ．４の値）、色温度６０００Ｋに対する最大輝度最大値として６４０ｃｄ/ｍ２（表示装置Ｎｏ．１の値）、色温度７０００Ｋに対する最大輝度最大値として５８０ｃｄ/ｍ２（表示装置Ｎｏ．４の値）、推奨色温度７５００Ｋに対する最大輝度最大値として６５０ｃｄ/ｍ２（表示装置Ｎｏ．３の値）、色温度８０００Ｋに対する最大輝度最大値として５９０ｃｄ/ｍ２（表示装置Ｎｏ．２の値）のそれぞれを特定する。
【００４４】
最大輝度最大値は、各目標色温度における運転において、推奨最大輝度（４００ｃｄ/ｍ２）に対する差が最も大きい表示装置、すなわち、最も運転余裕の大きい表示装置を特定する指標である。例えば色温度５０００Ｋに対する最大輝度最大値をもつ表示装置Ｎｏ．４（最大輝度；４５０ｃｄ/ｍ２）は、最も余裕が大きく、当該色温度において寿命（輝度寿命）が最も長い。
【００４５】
さらにコンピュータ２０は、図５（ｂ）の（ｂ３）の表に示すように、特定した複数の色温度毎の最大輝度最大値の中でも、最大の値に対応する色温度を特定し、当該色温度を、表示装置Ｎｏ．１〜Ｎｏ．４の共通の共通設定色温度として最終的に設定する。コンピュータ２０は、各表示装置に共通設定色温度に設定する命令を含む制御信号を送信し、制御部１４は自身の表示装置の色温度を共通設定色温度に設定する。
【００４６】
上記のプロセスで求められた色温度の最大輝度は、複数の色温度毎の最大輝度最大値の中でも、推奨最大輝度に対する差が最も大きいものである。よって、表示システム１００の色温度を当該共通設定色温度に設定することにより、最も輝度寿命が長い表示装置の延命効果が高くなり、最も輝度寿命が長く確保できる可能性のある表示装置の延命効果が徹底されることになる。
【００４７】
本例では、推奨色温度７５００Ｋに対して表示装置Ｎｏ．３がもつ最大輝度最大値６５０ｃｄ/ｍ２が推奨最大輝度との差が最も大きいので、７５００Ｋが表示システム１００の共通設定色温度として設定される。すなわち、共通設定色温度における色温度７５００Ｋにおいては、表示装置Ｎｏ．３の最大輝度が最も大きく輝度寿命が長い。さらに、この色温度７５００Ｋにおける表示装置Ｎｏ．３の最大輝度６５０ｃｄ/ｍ２は、他の色温度における最大輝度最大値（例えば７０００Ｋでは表示装置Ｎｏ．４の５８０Ｋ）よりも必ず大きいため、最も輝度寿命が長い表示装置Ｎｏ．３の推奨色温度に対する余裕は、他の色温度における最も輝度寿命が長い表示装置（例えば７０００Ｋでは表示装置Ｎｏ．４）よりも必ず大きくなる。よって、表示システム１００における元来最も輝度寿命が長く確保できる可能性のある表示装置の延命効果が徹底されることになる。この場合、他の表示装置Ｎｏ．１、表示装置Ｎｏ．２、表示装置Ｎｏ．４の寿命は特に考慮に入れないこととなる。
【００４８】
（２）図６（ａ）に示す変形例
図６（ａ）の（ａ１）の表における各最大輝度の値は、図５（ａ）の（ａ１）と同じである。本例ではコンピュータ２０が、各色温度における表示装置Ｎｏ．１、表示装置Ｎｏ．２、表示装置Ｎｏ．３、表示装置Ｎｏ．４各々の出力可能な最大輝度の平均値、すなわち最大輝度平均値を特定する。すなわち、図６（ａ）の（ａ２）の表に示すように、コンピュータ２０は、色温度５０００Ｋに対する最大輝度平均値として４２７．５ｃｄ/ｍ２、色温度６０００Ｋに対する最大輝度平均値として５５２．５ｃｄ/ｍ２、色温度７０００Ｋに対する最大輝度平均値として５０５ｃｄ/ｍ２、推奨色温度７５００Ｋに対する最大輝度平均値として５３７．５ｃｄ/ｍ２、色温度８０００Ｋに対する最大輝度平均値として５４５ｃｄ/ｍ２のそれぞれを算出する。
【００４９】
さらにコンピュータ２０は、図６（ａ）の（ａ３）の表に示すように、特定した複数の色温度毎最大輝度平均値の中でも、最大の値に対応する色温度を特定し、当該色温度を、表示装置Ｎｏ．１〜Ｎｏ．４の共通の共通設定色温度として最終的に設定する。本例では、推奨色温度６０００Ｋに対する最大輝度平均値５５２．５ｃｄ/ｍ２が他の色温度に対する最大輝度平均値と比較して最も大きいので、６０００Ｋが表示システム１００の共通設定色温度として設定される。コンピュータ２０は、各表示装置に共通設定色温度に設定する命令を含む制御信号を送信し、制御部１４は自身の表示装置の色温度を共通設定色温度に設定する。
【００５０】
表示システム１００の色温度を当該共通設定色温度に設定することにより、各表示装置の寿命をほぼ均等に延ばすことができる。
【００５１】
（３）図６（ｂ）に示す変形例
図６（ｂ）の（ｂ１）の表における各最大輝度の値は、図５（ａ）の（ａ１）と同じである。本例ではコンピュータ２０が、各色温度における表示装置Ｎｏ．１、表示装置Ｎｏ．２、表示装置Ｎｏ．３、表示装置Ｎｏ．４各々の出力可能な最大輝度の標準偏差、すなわち最大輝度標準偏差を特定する。すなわち、図６（ｂ）の（ｂ２）の表に示すように、コンピュータ２０は、色温度５０００Ｋに対する最大輝度標準偏差として１７．０７８３ｃｄ/ｍ２、色温度６０００Ｋに対する最大輝度標準偏差として７３．６５４６ｃｄ/ｍ２、色温度７０００Ｋに対する最大輝度標準偏差として７５．９３８６ｃｄ/ｍ２、推奨色温度７５００Ｋに対する最大輝度標準偏差として８５．３９１３ｃｄ/ｍ２、色温度８０００Ｋに対する最大輝度標準偏差として３１．０９１３ｃｄ/ｍ２のそれぞれを算出する。
【００５２】
さらにコンピュータ２０は、図６（ｂ）の（ｂ３）の表に示すように、特定した複数の色温度毎の最大輝度標準偏差の中でも、最小の値に対応する色温度を特定し、当該色温度を、表示装置Ｎｏ．１〜Ｎｏ．４の共通の共通設定色温度として最終的に設定する。本例では、推奨色温度５０００Ｋに対する最大輝度標準偏差１７．０７８３ｃｄ/ｍ２が他の色温度に対する最大輝度標準偏差と比較して最も小さいので、５０００Ｋが表示システム１００の共通設定色温度として設定される。コンピュータ２０は、各表示装置に共通設定色温度に設定する命令を含む制御信号を送信し、制御部１４は自身の表示装置の色温度を共通設定色温度に設定する。
【００５３】
表示システム１００の色温度を当該共通設定色温度に設定することにより、各表示装置の寿命のばらつきが小さくなり、どの表示装置も大体同じ時期に使用が難しくなるので、この時期を表示システムの表示装置の一斉交換の目安の時期として管理することができる。
【００５４】
上述の実施の形態では、図１に示すようにコンピュータ２０が表示装置１０に通信線４０や画像信号線を介して接続されている。しかしながら、コンピュータ２０の表示装置１０及び内蔵光センサ３０との接続形態は特に限定はされず、コンピュータ２０を、有線又は無線のインターネットやＬＡＮを介して、表示装置１０と接続し、通信可能にすることも可能である。ユーザーは遠隔地から表示装置１０を操作することが可能となる。複数の表示装置１０の台数ももちろん４台には限定されない。
【００５５】
上述の実施の形態では、図１に示すように単体のコンピュータ２０がＮｏ．１〜Ｎｏ．４の各表示装置１０を一括して制御している。しかしながら、Ｎｏ．１〜Ｎｏ．４の各表示装置１０を一括して制御可能な制御装置であれば、その構成や配置場所は特には限定されない。制御装置は、例えばいずれかの表示装置１０の中にも設けることも可能である。さらに制御装置は、総てのＮｏ．１〜Ｎｏ．４の各表示装置１０について、必ずしも同じ色温度を設定する必要はなく、用途に応じて必要な数だけ、極論を言えば少なくとも二つの表示装置１０の色温度を同じ値（共通設定色温度）に設定することができる。また、本発明を実施する表示装置の色温度設定プログラムの配置場所、形態も特には限定されず、例えばいずれかの表示装置１０のメモリ１５の中に保存することも可能である。
【００５６】
上述の実施の形態では、図１に示すように単体のコンピュータ２０がＮｏ．１〜Ｎｏ．４の各表示装置１０を一括して制御している。しかしながら、複数のコンピュータのそれぞれに１台あるいは複数の表示装置が接続され、当該複数のコンピュータがネットワークで接続されているような表示システムであっても本発明は実現可能である。この場合、ネットワーク内の複数のコンピュータのいずれか１台が代表して、各コンピュータを介して上述の色設定方法を実行する。
【００５７】
上述の実施の形態では、複数の表示装置の色温度を共通設定色温度に設定するステップまで説明したが、最終的に共通設定色温度に設定する前の共通設定色温度の決定のステップまででも本発明は成立する。
【００５８】
尚、本発明は、上述した実施形態に限定されるものではなく、適宜、変形、改良、等が可能である。その他、上述した実施形態における各構成要素の材質、形状、寸法、数値、形態、数、配置箇所、等は本発明を達成できるものであれば任意であり、限定されない。
【産業上の利用可能性】
【００５９】
本発明によれば、表示システムにおける各表示装置の色温度を所望の値に設定することにより、表示装置および表示システムの長寿命化を図ることが可能となる。
【符号の説明】
【００６０】
１０：表示装置
１１：表示パネル
１２：変換部
１２ａ：Ｒ用ＬＵＴ
１２ｂ：Ｇ用ＬＵＴ
１２ｃ：Ｂ用ＬＵＴ
１３：マトリックス
１４：制御部（ＣＰＵ）
１５：メモリ
１６：入力手段
１７：光源
２０：コンピュータ（制御装置）
３０：内蔵光センサ
４０：通信線
１００：表示システム
【図１】
0006416576.tif 000002
【図２】
0006416576.tif 000003
【図３】
0006416576.tif 000004
【図４】
0006416576.tif 000005
【図５】
0006416576.tif 000006
【図６】
0006416576.tif 000007